(57)【要約】【課題】Ｏ脚又はＸ脚を矯正し、膝の痛みを軽減することができる衣服を提供する。【解決手段】本発明は、伸縮性素材で構成され、少なくとも腰部から膝下までを覆う衣服本体１を含む衣服１０であって、帯状の膝外側サポート部材２、膝外側サポート部材２の上部と連結されている大腿内側緊締部３、膝外側サポート部材２の下部と連結されている下腿外側緊締部４、大腿内側緊締部３と連結されている第１アンカー５を有する衣服に関する。本発明は、伸縮性素材で構成され、少なくとも腰部から膝下までを覆う衣服本体１０１を含む衣服１００であって、帯状の膝内側サポート部材１０２、膝内側サポート部材１０２の上部と連結されている大腿外側緊締部１０３、膝内側サポート部材１０２の下部と連結されている下腿内側緊締部１０４、大腿外側緊締部１０３と連結されている第１アンカー１０５を有する衣服に関する。【選択図】図１
2019081986.tif 000002
【特許請求の範囲】
【請求項１】
伸縮性素材で構成され、少なくとも腰部から膝下までを覆う衣服本体を含む衣服であって、
帯状の膝外側サポート部材を有し、前記膝外側サポート部材は、大腿前面の中心-内側又は下腹部の中心-内側から、下腿上部の外側に至るように、且つ膝の屈曲伸展時に膝蓋骨の中心を通らないように設けられており、
前記膝外側サポート部材の上部は、大腿前面の中心-内側及び/又は下腹部の中心-内側に配置されている大腿内側緊締部と連結されており、且つ前記膝外側サポート部材の下部は、下腿外側に配置されている下腿外側緊締部と連結されており、
前記大腿内側緊締部及び下腿外側緊締部は、いずれも、衣服本体を構成する伸縮性素材より身長方向の伸張率が低い伸縮性素材で構成されており、
前記大腿内側緊締部は、腰部の位置ズレを防止する第１アンカーと連結されていることを特徴とする衣服。
【請求項２】
伸縮性素材で構成され、少なくとも腰部から膝下までを覆う衣服本体を含む衣服であって、
帯状の膝内側サポート部材を有し、前記膝内側サポート部材は、大腿前面の中心-外側又は下腹部の中心-外側から、下腿上部の内側に至るように、且つ膝の屈曲伸展時に膝蓋骨の中心を通らないように設けられており、
前記膝内側サポート部材の上部は、大腿前面の中心-外側及び/又は下腹部の中心-外側に配置されている大腿外側緊締部と連結されており、且つ前記膝サポート部材の下部は、下腿内側に配置されている下腿内側緊締部と連結されており、
前記大腿外側緊締部及び下腿内側緊締部は、いずれも、衣服本体を構成する伸縮性素材より身長方向の伸張率が低い伸縮性素材で構成されており、
前記大腿外側緊締部は、腰部の位置ズレを防止する第１アンカーと連結されていることを特徴とする衣服。
【請求項３】
前記下腿外側緊締部は、裾部の位置ズレを防止する第２アンカーと連結されている請求項１に記載の衣服。
【請求項４】
前記大腿内側緊締部及び下腿外側緊締部は、いずれも、身長方向の伸長率が１１０％以下の伸縮性素材で構成されている請求項１又は３に記載の衣服。
【請求項５】
前記膝外側サポート部材の上部は、面ファスナー又はフックによって前記大腿内側緊締部に連結されている請求項１、３及び４のいずれか１項に記載の衣服。
【請求項６】
前記膝外側サポート部材の下部は、前記下腿外側緊締部に縫い付けられている請求項１、３〜５のいずれか１項に記載の衣服。
【請求項７】
前記膝外側サポート部材は、衣服本体を構成する伸縮性素材より身長方向の伸張率が低い低伸縮性素材で構成されている請求項１、３〜６のいずれか１項に記載の衣服。
【請求項８】
前記第１アンカーは、衣服本体を構成する伸縮性素材より身幅方向の伸張率が低い低伸縮性素材で構成され、前記大腿内側緊締部と面ファスナーによって連結されている請求項１、３〜７のいずれか１項に記載の衣服。
【請求項９】
前記下腿内側緊締部は、裾部の位置ズレを防止する第２アンカーと連結されている請求項２に記載の衣服。
【請求項１０】
前記大腿外側緊締部及び下腿内側緊締部は、いずれも、身長方向の伸長率が１１０％以下の伸縮性素材で構成されている請求項２又は９に記載の衣服。
【請求項１１】
前記膝内側サポート部材の上部は、面ファスナー又はフックによって前記大腿外側緊締部に連結されている請求項２、９及び１０のいずれか１項に記載の衣服。
【請求項１２】
前記膝内側サポート部材の下部は、前記下腿内側緊締部に縫い付けられている請求項２、９〜１１のいずれか１項に記載の衣服。
【請求項１３】
前記膝内側サポート部材は、衣服本体を構成する伸縮性素材より身長方向の伸張率が低い低伸縮性素材で構成されている請求項１、９〜１２のいずれか１項に記載の衣服。
【請求項１４】
前記第１アンカーは、衣服本体を構成する伸縮性素材より身幅方向の伸張率が低い低伸縮性素材で構成され、前記大腿外側緊締部と面ファスナーによって連結されている請求項２、９〜１３のいずれか１項に記載の衣服。
【請求項１５】
前記衣服本体を構成する伸縮性素材は、身長方向の伸長率が５０〜２００％である請求項１〜１４のいずれか１項に記載の衣服。
【請求項１６】
前記第２アンカーは、スターラップである請求項３〜１０、９〜１５のいずれか１項に記載の衣服。
【請求項１７】
前記第２アンカーは、衣服本体を構成する伸縮性素材より身幅方向の伸張率が低い低伸縮性素材で構成され、裾部に設けられた裾緊締部である請求項３〜１０、９〜１６のいずれか１項に記載の衣服。
【発明の詳細な説明】
【技術分野】
【０００１】
本発明は、少なくとも腰部から膝下までを覆う衣服本体を含む衣服に関する。
【背景技術】
【０００２】
日常生活でＯ脚やＸ脚のように正しい歩き方ができないと、膝関節に負担がかかる。特に、中高年になると、筋力が低下することもあり、Ｏ脚やＸ脚の場合、膝関節の軟骨に対するダメージが大きく、膝痛の症状が出て、変形性膝関節症になることもある。一方、従来から、膝を保護する衣類が提案されている。例えば、特許文献１には、ボトムウェア部、緊締ベルト部及び膝蓋サポート部を有する股付き衣類が記載されている。特許文献２には、第１低伸縮領域、第２低伸縮領域、第３低伸縮領域、第４低伸縮領域、第５低伸縮領域及び第６低伸縮領域を設けた膝保護用衣服が記載されている。
【先行技術文献】
【特許文献】
【０００３】
【特許文献１】特開２００６−２７４５１０号公報
【特許文献２】特開２０１１−３８２３０号公報
【発明の概要】
【発明が解決しようとする課題】
【０００４】
しかしながら、特許文献１及び２に記載の衣服は、膝にかかる負担を軽減しているものの、Ｏ脚やＸ脚のように正しくない歩き方を是正することについては検討されていない。
【０００５】
本発明は、上記従来の問題を解決するため、Ｏ脚又はＸ脚を矯正し、膝の痛みを軽減することができる衣服を提供する。
【課題を解決するための手段】
【０００６】
本発明は、伸縮性素材で構成され、少なくとも腰部から膝下までを覆う衣服本体を含む衣服であって、帯状の膝外側サポート部材を有し、前記膝外側サポート部材は、大腿前面の中心-内側又は下腹部の中心-内側から、下腿上部の外側に至るように、且つ膝の屈曲伸展時に膝蓋骨の中心を通らないように設けられており、前記膝外側サポート部材の上部は、大腿前面の中心-内側及び/又は下腹部の中心-内側に配置されている大腿内側緊締部と連結されており、且つ前記膝外側サポート部材の下部は、下腿外側に配置されている下腿外側緊締部と連結されており、前記大腿内側緊締部及び下腿外側緊締部は、いずれも、衣服本体を構成する伸縮性素材より身長方向の伸張率が低い伸縮性素材で構成されており、前記大腿内側緊締部は、腰部の位置ズレを防止する第１アンカーと連結されていることを特徴とする衣服に関する。
【０００７】
本発明は、また、伸縮性素材で構成され、少なくとも腰部から膝下までを覆う衣服本体を含む衣服であって、帯状の膝内側サポート部材を有し、前記膝内側サポート部材は、大腿前面の中心-外側又は下腹部の中心-外側から、下腿上部の内側に至るように、且つ膝の屈曲伸展時に膝蓋骨の中心を通らないように設けられており、前記膝内側サポート部材の上部は、大腿前面の中心-外側及び/又は下腹部の中心-外側に配置されている大腿外側緊締部と連結されており、且つ前記膝サポート部材の下部は、下腿内側に配置されている下腿内側緊締部と連結されており、前記大腿外側緊締部及び下腿内側緊締部は、いずれも、衣服本体を構成する伸縮性素材より身長方向の伸張率が低い伸縮性素材で構成されており、前記大腿外側緊締部は、腰部の位置ズレを防止する第１アンカーと連結されていることを特徴とする衣服に関する。
【発明の効果】
【０００８】
本発明は、Ｏ脚又はＸ脚を矯正し、膝の痛みを軽減し得る衣服を提供することができる。
【図面の簡単な説明】
【０００９】
【図１】図１Ａは本発明の一実施形態の衣服（Ｏ脚矯正用衣服）の正面図であり、図１Ｂは同背面図であり、図１Ｃは同外側面図である。
【図２】図２Ａは本発明の一実施形態の衣服（Ｏ脚矯正用衣服）の正面図であり、図２Ｂは同背面図である。
【図３】図３Ａは本発明の他の一実施形態の衣服（Ｏ脚矯正用衣服）の正面図であり、図３Ｂは同背面図であり、図３Ｃは同外側面図である。
【図４】図４Ａは本発明のさらに他の一実施形態の衣服（Ｏ脚矯正用衣服）の正面図であり、図４Ｂは同背面図であり、図４Ｃは同外側面図である。
【図５】図５は、膝外側サポート部材を設ける部位を模式的に説明する正面図である。
【図６】図６Ａは本発明の他の実施形態の衣服（Ｘ脚矯正用衣服）の正面図であり、図６Ｂは同背面図であり、図６Ｃは同外側面図である。
【図７】図７は、膝内側サポート部材を設ける部位を模式的に説明する正面図である。
【図８】図８は、膝中心の動きを観察する試験を説明する模式図である。
【図９】図９は、本発明の一実施形態の衣服（Ｏ脚矯正用衣服）を着用し、足踏み運動した際の膝中心の軌跡を示すグラフである。
【図１０】図１０は、本発明の一実施形態の衣服（Ｏ脚矯正用衣服）を着用し、足踏み運動した際の膝中心の軌跡を示すグラフである。
【図１１】図１１は、本発明の一実施形態の衣服（Ｘ脚矯正用衣服）を着用し、足踏み運動した際の膝中心の軌跡を示すグラフである。
【図１２】図１２は、Ｏ脚ＯＡ患者、健常者及びＸ脚ＯＡ患者の立脚相中の膝関節角度を示すグラフである。
【発明を実施するための形態】
【００１０】
本発明の発明者らは、伸縮性素材で構成され、少なくとも腰部から膝下までを覆う衣服本体を含む衣服において、大腿前面の中心-内側又は下腹部の中心-内側から、下腿上部の外側に至るように、且つ膝の屈曲伸展時に膝蓋骨の中心を通らないように帯状の膝外側サポート部材を設け、該膝外側サポート部材の上部を、大腿前面の中心-内側及び/又は下腹部の中心-内側に配置されている大腿内側緊締部と連結し、且つ該膝外側サポート部材の下部を、下腿外側に配置されている下腿外側緊締部と連結し、前記大腿内側緊締部を、腰部の位置ズレを防止する第１アンカーと連結し、前記大腿内側緊締部及び下腿外側緊締部を、いずれも、衣服本体を構成する伸縮性素材より身長方向の伸張率が低い低伸縮性素材で構成することで、Ｏ脚を矯正し、膝の痛みが軽減されることを見出した。これは、前記膝外側サポート部材、大腿内側緊締部、下腿外側緊締部、及び第１アンカーが連結されて、大腿前面の中心-内側及び/又は下腹部の中心-内側から膝蓋骨の外側を通り下腿部の外側に至るテンション領域が形成されることで、膝が屈曲伸展する際に、膝が内側に移動することに起因すると推測される。
【００１１】
本発明の発明者らは、また、伸縮性素材で構成され、少なくとも腰部から膝下までを覆う衣服本体を含む衣服において、大腿前面の中心-外側又は下腹部の中心-外側から、下腿上部の内側に至るように、且つ膝の屈曲伸展時に膝蓋骨の中心を通らないように帯状の膝内側サポート部材を設け、該膝内側サポート部材の上部を、大腿前面の中心-外側及び/又は下腹部の中心-外側に配置されている大腿外側緊締部と連結し、且つ該膝内側サポート部材の下部を、下腿内側に配置されている下腿内側緊締部と連結し、前記大腿外側緊締部を、腰部の位置ズレを防止する第１アンカーと連結し、前記大腿外側緊締部及び下腿内側緊締部を、いずれも、衣服本体を構成する伸縮性素材より身長方向の伸張率が低い低伸縮性素材で構成することで、Ｘ脚を矯正し、膝の痛みが軽減されることを見出した。これは、前記膝内側サポート部材、大腿外側緊締部、下腿内側緊締部、及び第１アンカーが連結されて、大腿前面の中心-外側及び/又は下腹部の中心-外側から膝蓋骨の内側を通り下腿部の内側に至るテンション領域が形成されることで、膝が屈曲伸展する際に、膝が外側に移動することに起因すると推測される。
【００１２】
本明細書において、「身長方向」とは着用者の身体の身長方向を意味し、「身幅方向」とは着用者の身体の身幅方向を意味する。
【００１３】
本明細書において、「伸縮性を有する」とは、衣服を形成する素材の身幅方向における伸長率及び／又は身長方向における伸長率が０％を超えることを意味する。本発明において、素材の伸長率は、ＪＩＳ  Ｌ  １０９６  ８．１４．１  Ａ法（荷重１７．６Ｎ、引張速度２００ｍｍ／ｍｉｎ）に基づいて測定するものである。
【００１４】
本明細書において、下腹部の中心-内側とは、衣服正面の周方向（身幅方向）において、中心線から外側端までの距離をＬａとした場合、衣服の中心線から２/３Ｌａまでの部分をいう。下腹部の内側とは、衣服正面の周方向において、中心線から外側端までの距離をＬａとした場合、衣服の中心線から１/３Ｌａまでの部分をいう。大腿前面の中心-内側とは、衣服正面の周方向において、大腿部の内側端から外側端までの距離をＬｂとした場合、内側端から２/３Ｌｂまでの部分をいう。大腿前面の内側とは、衣服正面の周方向において、大腿部の内側端から外側端までの距離をＬｂとした場合、内側端から１/３Ｌｂまでの部分をいう。下腿上部とは、衣服（タイツ）正面及び背面の周方向において、下腿部全体の長さ（膝の中心から足首までの長さ）をＬｃとした場合、膝中心から１/２Ｌｃまでの部分であり、且つ膝該当部分を除いた部分をいい、下腿下部とは、足首から１/２Ｌｃまでの部分をいう。また、下腿外側とは、下腿部の内側端から外側端までの距離をＬｄとした場合、外側端から１/２Ｌｄまでの部分をいう。下腿上部の外側とは、下腿上部の内側端から外側端までの距離をＬｄとした場合、外側端から１/２Ｌｄまでの部分をいう。例えば、図５に示されているように、下腹部の中心-内側は、衣服（タイツ）正面の周方向において、衣服の中心線８０から外側端９１までの距離をＬａとした場合、中心線８０から２/３Ｌａまでの部分５０をいう。また、大腿前面の中心-内側とは、衣服（タイツ）正面の周方向において、大腿部の内側端９２から外側端９１までの距離をＬｂとした場合、内側端９２から２/３Ｌｂまでの部分６０をいう。また、下腿上部の外側とは、衣服（タイツ）正面の周方向において、下腿部全体の長さ（膝４０の中心から足首までの長さ）をＬｃとし、下腿上部の内側端９２から外側端９１までの距離をＬｄとした場合、膝４０から１/２Ｌｃまでであり（膝に該当する部分を除く。）、且つ外側端９１から１/２Ｌｄまでの部分７０をいう。図示はないが、衣服（タイツ）背面においても、同様である。
【００１５】
本明細書において、下腹部の中心-外側とは、衣服正面の周方向（身幅方向）において、中心線から外側端までの距離をＬａとした場合、衣服の外側端から２/３Ｌａまでの部分をいう。下腹部の外側とは、衣服正面の周方向（身幅方向）において、中心線から外側端までの距離をＬａとした場合、衣服の外側端から１/３Ｌａまでの部分をいう。大腿前面の中心-外側とは、衣服正面の周方向において、大腿部の内側端から外側端までの距離をＬｂとした場合、外側端から２/３Ｌｂまでの部分をいう。大腿前面の外側とは、衣服正面の周方向において、大腿部の内側端から外側端までの距離をＬｂとした場合、外側端から１/３Ｌｂまでの部分をいう。下腿上部とは、衣服（タイツ）正面及び背面の周方向において、下腿部全体の長さ（膝の中心から足首までの長さ）をＬｃとした場合、膝中心から１/２Ｌｃまでの部分であり、且つ膝該当部分を除いた部分をいい、下腿下部とは、足首から１/２Ｌｃまでの部分をいう。下腿内側とは、下腿部の内側端と外側端までの距離をＬｄとした場合、内側端から１/２Ｌｄまでの部分をいう。下腿上部の内側とは、下腿上部の内側端と外側端までの距離をＬｄとした場合、内側端から１/２Ｌｄまでの部分をいう。例えば、図７に示されているように、下腹部の中心-外側は、衣服（タイツ）正面の周方向において、衣服の中心線８０から外側端９１までの距離をＬａとした場合、外側端９１から２/３Ｌａまでの部分１５０をいう。大腿前面の中心-外側とは、衣服（タイツ）正面の周方向において、大腿部の内側端９２から外側端９１までの距離をＬｂとした場合、外側端９１から２/３Ｌｂまでの部分１６０をいう。下腿上部の内側とは、衣服（タイツ）正面の周方向において、下腿部全体の長さ（膝４０の中心から足首までの長さ）をＬｃとし、下腿上部の内側端９２から外側端９１までの距離をＬｄとした場合、膝４０から１/２Ｌｃまでであり（膝に該当する部分を除く。）、且つ内側端９２から１/２Ｌｄまでの部分１７０をいう。図示はないが、衣服（タイツ）背面においても、同様である。
【００１６】
前記衣服は、例えば腰部から膝下までを覆うように形成されていてもよく、腰部から足首までを覆うように形成されていてもよく、腰部から足甲までを覆うように形成されていてもよい。
【００１７】
前記伸縮性素材としては、伸縮性を有するものであればよく、特に限定されない。例えば織物、編物などの通常の衣服用生地を用いることができる。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。前記伸縮性素材は、特に限定されないが、例えば、目付けが１２０〜３８０ｇ／ｍ2の範囲が好ましく、より好ましくは１６０〜３４０ｇ／ｍ2の範囲、さらに好ましくは２４０〜２８０ｇ／ｍ2の範囲である。上記の範囲であれば、運動機能を損なわず、耐久性も良く、軽くて動きやすい利点がある。また、前記伸縮性素材は、エラストマー樹脂又はゴムにより含浸或いはプレス処理されたものでもよい。エラストマー樹脂としては、ウレタン系エラストマー、軟質塩化ビニル系エラストマー、スチレン系エラストマー、オレフィン系エラストマー、エステル系エラストマー、アミド系エラストマー、塩素化ポリエチレン系エラストマー、Ｓｙｎ−１，２−ポリブタジエン系エラストマー、Ｔｒａｎｓ−１，４−ポリイソプレン系エラストマー、フッ素系エラストマー等が挙げられる。ゴムとしては、シリコーンゴム、フッ素ゴム、ウレタンゴム、合成ゴム、天然ゴム等が挙げられる。また、上記生地は一枚であってもよく、異なる伸長率の二枚の生地を重ねたものであってもよい。
【００１８】
前記伸縮性素材を形成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。
【００１９】
（Ｏ脚矯正用衣服）
まず、Ｏ脚矯正用衣服について説明する。
【００２０】
前記膝外側サポート部材は、衣服本体を構成する伸縮性素材より身長方向の伸張率が低い低伸縮性素材で構成されていることが好ましい。具体的には、膝が動く際に膝が内側に移動しやすく、膝の痛みを軽減させやすい観点から、前記膝外側サポート部材を構成する伸縮性素材の身長方向の伸長率は、１１０％以下であることが好ましく、１００％以下であることがより好ましく、９０％以下であることがさらに好ましく、８０％以下であることがさらにより好ましい。また、着用感を阻害しない観点から、前記膝外側サポート部材を構成する伸縮性素材の身長方向の伸長率は、５％以上であることが好ましく、１０％以上であることがより好ましい。また、特に限定されないが、膝の痛みの軽減効果及び着用感を良好にする観点から、前記膝外側サポート部材を構成する伸縮性素材の身幅方向の伸長率は、５〜１１０％であることが好ましく、１０〜１００％であることがより好ましい。
【００２１】
前記膝外側サポート部材の上部は、大腿前面の中心-内側及び/又は下腹部の中心-内側に配置されている大腿内側緊締部と連結されている。前記膝外側サポート部材の上部は、縫い付けられることで前記大腿内側緊締部に連結されてもよく、面ファスナー又はフックによって前記大腿内側緊締部に連結されていてもよい。前記膝外側サポート部材の下部は、下腿上部において、下腿外側に配置されている下腿外側緊締部と連結されている。前記膝外側サポート部材の下部は、縫い付けられることで前記下腿外側緊締部に連結されてもよい。膝外側サポート部材、大腿内側緊締部及び下腿外側緊締部によるテンションを調整しやすい観点から、前記膝外側サポート部材の上部は、面ファスナー又はフックによって前記大腿内側緊締部に連結されており、前記膝外側サポート部材の下部は、縫い付けられることで前記下腿外側緊締部に連結されていることが好ましい。
【００２２】
前記大腿内側緊締部は、膝外側サポート部材の上部及び第１アンカーと連結されていればよい。前記大腿内側緊締部は、大腿前面の中心-内側及び下腹部の中心-内側の一部又は全部に配置されていてもよい。例えば、大腿前面の中心-内側のみに配置されてもよく、下腹部の中心-内側のみに配置されてもよく、大腿前面の中心-内側及び下腹部の中心-内側を跨ぐように配置されてもよい。下腹部において、左右の大腿内側緊締部は互いに繋がっていてもよく、互いに分離していてもよい。テンションの伝播を良好にする観点から、前記大腿内側緊締部は、大腿前面の中心-内側及び下腹部の中心-内側に、すなわち大腿前面の中心-内側から下腹部の中心-内側に至るように配置されていることが好ましく、下腹部において、左右の大腿内側緊締部は互いに繋がっていることが好ましい。
【００２３】
前記大腿内側緊締部は、衣服本体を構成する伸縮性素材より身長方向の伸張率が低い伸縮性素材で構成されていればよい。膝が動く際に膝が内側に移動しやすく、膝の痛みを軽減しやすい観点から、前記大腿内側緊締部を構成する伸縮性素材の身長方向の伸長率は、１１０％以下であることが好ましく、１００％以下であることがより好ましく、９０％以下であることがさらに好ましく、８０％以下であることがさらにより好ましい。また、着用感を阻害しない観点から、前記大腿内側緊締部を構成する伸縮性素材の身長方向の伸長率は、５％以上であることが好ましく、１０％以上であることがより好ましい。また、特に限定されないが、膝の痛みの軽減効果及び着用感を良好にする観点から、前記大腿内側緊締部を構成する伸縮性素材の身幅方向の伸長率は、５〜１１０％であることが好ましく、１０〜１００％であることがより好ましい。
【００２４】
前記下腿外側緊締部は、下腿上部において、膝外側サポート部材の下部と連結されていればよい。前記下腿外側緊締部は、下腿外側の一部又は全部に配置されていてもよい。例えば、身体前面の下腿外側のみに配置されていてもよく、身体後面の下腿外側のみに配置されていてもよく、身体前面の下腿外側及び身体後面の下腿外側を跨ぐように配置されていてもよい。テンションの伝播を良好にする観点から、身体前面の下腿外側及び身体後面の下腿外側を跨ぐように配置されていることが好ましい。
【００２５】
前記下腿外側緊締部は、衣服本体を構成する伸縮性素材より身長方向の伸張率が低い伸縮性素材で構成されていればよい。膝が動く際に膝が内側に移動しやすく、膝の痛みを軽減しやすい観点から、前記下腿外側緊締部を構成する伸縮性素材の身長方向の伸長率は、１１０％以下であることが好ましく、１００％以下であることがより好ましく、９０％以下であることがさらに好ましく、８０％以下であることがさらにより好ましい。また、着用感を阻害しない観点から、前記下腿外側緊締部を構成する伸縮性素材の身長方向の伸長率は、５％以上であることが好ましく、１０％以上であることがより好ましい。また、特に限定されないが、膝の痛みの軽減効果及び着用感を良好にする観点から、前記下腿外側緊締部を構成する伸縮性素材の身幅方向の伸長率は、５〜１１０％であることが好ましく、１０〜１００％であることがより好ましい。
【００２６】
前記第１アンカーは、前記大腿内側緊締部と連結され、腰部の位置ズレを防止するものであればよく、その構成は特に限定されない。例えば、ひも状であってもよく、ベルト状であってもよい。或いは、腰部の一部又は全部を、例えば腰回り全長の３／４以上を、身幅方向の伸長率が衣服本体の身幅伸長率より低い、例えば身幅方向の伸長率が０〜６０％の伸縮性素材で構成することで、第１アンカーとして機能させてもよい。或いは、腰部の一部又は全部、例えば、腰回り全長の１/２以上の内側にシリコン樹脂等の摩擦係数が高い素材を配置することで、第１アンカーとして機能させてもよい。或いは、腰部を長くし、折り返して着用することで、第１アンカーとして機能させてもよい。或いは、サスペンダーを取り付けることで、第１アンカーとして機能させてもよい。或いは、腰部に係止手段、例えば、面ファスナー、ボタン、クリップ等を取り付けて上衣に係止することで、第１アンカーとして機能させてもよい。
【００２７】
ベルト状の第１アンカーは、腰の周りの少なくとも一部に配置され、全部又は一部が衣服布本体に縫い付けられていてもよい。腰部の位置ズレを防止しつつ及び大腿内側緊締部によるテンションを調整しやすい観点から、ベルト状の第１アンカーは、前記大腿内側緊締部と面ファスナーによって連結されている腰ベルトであることが好ましい。該腰ベルトは、簡便であることから、身体の背面において、中心線の位置にて衣服本体に縫い付けられていることが好ましい。
【００２８】
前記ベルト状の第１アンカーは、衣服本体を構成する伸縮性素材より身幅方向の伸張率が低い伸縮性素材で構成されていることが好ましい。大腿内側緊締部によるテンションを維持しやすい観点から、前記第１アンカーを構成する伸縮性素材の身幅方向の伸長率は、１１０％以下であることが好ましく、１００％以下であることがより好ましく、９０％以下であることがさらに好ましく、８０％以下であることがさらにより好ましい。また、着用感を阻害しない観点から、前記第１アンカーを構成する伸縮性素材の身幅方向の伸長率は、５％以上であることが好ましく、１０％以上であることがより好ましい。また、特に限定されないが、大腿内側緊締部によるテンションの維持しやすさ及び着用感を良好にする観点から、前記第１アンカーを構成する伸縮性素材の身長方向の伸長率は、５〜１１０％であることが好ましく、１０〜１００％であることがより好ましい。
【００２９】
前記下腿外側緊締部は、裾部の位置ズレを防止する第２アンカーと連結されていてもよい。前記第２アンカーは、前記下腿外側緊締部と連結され、裾部の位置ズレを防止するものであればよく、その構成は特に限定されない。例えば、裾部の内側の一部又は全部、例えば、裾周りの全長の１/２以上にシリコン樹脂等の摩擦係数が高い素材を配置することで、第２アンカーとして機能させてもよい。或いは、裾部の一部又は全部を、例えば裾回り全長の３/４以上を、身幅方向の伸長率が衣服本体の身幅伸長率より低い、例えば身幅方向の伸長率が０〜６０％の伸縮性素材で構成して裾緊締部にすることで、第２アンカーとして機能させてもよい。或いは、裾部を長くし、折り返して着用することで、第２アンカーとして機能させてもよい。或いは、裾部に係止手段、例えば、面ファスナー、ボタン、クリップ等を取り付けて靴下に係止することで、第２アンカーとして機能させてもよい。簡便であることから、第２アンカーは、スターラップであることが好ましい。この場合、衣服はトレンカとなる。スターラップは、例えば、衣服本体と同じ伸縮性素材で構成することができる。
【００３０】
前記衣服本体を構成する伸縮性素材は、特に限定されないが、着用性の観点から、身長方向の伸長率が２０〜１５０％であることが好ましく、５０〜９０％であることがより好ましい。また、着用性の観点から、身幅方向の伸長率が３０〜１６０％であることが好ましく、６０〜１００％であることがより好ましい。
【００３１】
以下、図面に基づいて、Ｏ脚矯正衣服を説明する。但し、本発明は、下記図面に示されたものに限定されない。
【００３２】
図１Ａは本発明の一実施形態（実施形態Ａ１）の衣服（Ｏ脚矯正衣服）の正面図であり、図１Ｂは同背面図であり、図１Ｃは同右外側面図である。図１Ａ〜１Ｃに示されているように、実施形態Ａ１の衣服１０は、衣服本体１、膝外側サポート部材２、大腿内側緊締部３、下腿外側緊締部４、第１アンカー５及び第２アンカー６を有する。膝外側サポート部材２は、帯状であり、大腿前面の内側の所定箇所から、下腿上部の外側の所定箇所に至るように、且つ膝の屈曲伸展時に膝蓋骨の中心を通らないように設けられている。大腿内側緊締部３は、大腿前面の中心-内側及び下腹部の中心-内側の所定箇所に、すなわち大腿前面の中心-内側の所定箇所から下腹部の中心-内側の所定箇所に至るように配置されている。膝外側サポート部材２の上部は、大腿前面の内側において、大腿内側緊締部３と脱着可能に連結されている。下腿外側緊締部４は、下腿外側の所定箇所に配置されている。膝外側サポート部材２の下部は、下腿上部の外側において、下腿外側緊締部４と、例えば、縫着によって連結されている。第１アンカー５は、腰部に配置されており、大腿内側緊締部３と脱着可能に連結されている。第２アンカー６は、スターラップで構成されており、下腿外側緊締部４と、例えば、縫着によって連結されている。大腿内側緊締部３は、衣服の中心線に向かって凹んでいる。大腿内側緊締部３がこのような形状を有することで、必要なテンションを付与しつつ、着用感も良好に保つことができる。
【００３３】
膝外側サポート部材２は、膝外側サポート部材２に設けられた面ファスナー７を介して大腿内側緊締部３と脱着可能に結合している。これにより、膝外側サポート部材２と大腿内側緊締部３の連結する部位を調整することができ、必要に応じて、膝外側サポート部材２と大腿内側緊締部３によるテンションの程度を調整することができる。第１アンカー５は、第１アンカー５に設けられた面ファスナー８を介して、大腿内側緊締部３と脱着可能に結合している。大腿内側緊締部３は、面ファスナーと結合可能な素材、例えば、起毛生地を用いて構成され、起毛面で面ファスナーと結合することができる。また、大腿内側緊締部３は全面を起毛生地で構成してもよく、必要な箇所のみを起毛生地で構成してもよい。膝外側サポート部材２及び下腿外側緊締部４は、いずれも、衣服本体を構成する伸縮性素材より身長方向の伸張率が低い伸縮性素材で構成され、第１アンカー５は、衣服本体を構成する伸縮性素材より身幅方向の伸張率が低い伸縮性素材で構成されることが好ましい。大腿内側緊締部３及び下腿外側緊締部４は、その周縁部が衣服本体１に縫い付けられていてもよく、適切な接着剤にて衣服本体１に接合させてもよい。第１アンカー５は、身体の背面において、中心線の位置にて衣服本体１に縫い付けられている。
【００３４】
図２Ａは実施形態Ａ１の衣服の正面図であり、図２Ｂは同背面図である。図２Ａ及び図２Ｂは、それぞれ、図１Ａ及び図１Ｂに対応している。図１は、衣服の着用状態の模式であり、図２は衣服の未着用状態の模式図である。図２及び図５から分かるように、大腿内側緊締部３は、大腿前面の中心-内側及び下腹部の中心-内側の所定箇所に配置されている。膝外側サポート部材２の上部は、大腿前面の内側において、大腿内側緊締部３と連結されている。下腿外側緊締部４は、下腿外側の所定箇所に配置されている。膝外側サポート部材２の下部は、下腿上部の外側において、下腿外側緊締部４と連結されている。第１アンカー５は、腰部に配置されており、大腿内側緊締部３と連結されている。第２アンカー６は、スターラップで構成されており、下腿外側緊締部４と連結されている。
【００３５】
図３Ａは本発明の他の一実施形態（実施形態Ａ２）の衣服（Ｏ脚矯正衣服）の着用状態の正面図であり、図３Ｂは同背面図であり、図３Ｃは同外側面図である。図３Ａ〜３Ｃに示されているように、実施形態Ａ２の衣服２０は、衣服本体１１、膝外側サポート部材１２、大腿内側緊締部１３、下腿外側緊締部１４、第１アンカー１５及び第２アンカー１６を有する。膝外側サポート部材１２は、帯状であり、大腿前面の内側の所定箇所から、下腿上部の外側の所定箇所に至るように、且つ膝の屈曲伸展時に膝蓋骨の中心を通らないように設けられている。大腿内側緊締部１３は、大腿前面の中心-内側及び下腹部の中心-内側の所定箇所に、すなわち大腿前面の中心-内側の所定箇所から下腹部の中心-内側の所定箇所に至るように配置されている。膝外側サポート部材１２の上部は、大腿前面の内側において、大腿内側緊締部１３と脱着可能に連結されている。下腿外側緊締部１４は、下腿外側の所定箇所に配置されている。膝外側サポート部材１２の下部は、下腿上部の外側において、下腿外側緊締部１４と連結されている。第１アンカー１５は、腰部に配置されており、大腿内側緊締部１３と脱着可能に連結されている。第２アンカー１６は、スターラップで構成されており、下腿外側緊締部１４と連結されている。大腿内側緊締部１３は、衣服の中心線に向かって凹んでいる。大腿内側緊締部１３がこのような形状を有することで、必要なテンションを付与しつつ、着用感も良好に保つことができる。
【００３６】
膝外側サポート部材１２は、フック１７ａ、１７ｂを介して大腿内側緊締部１３と脱着可能に結合している。これにより、膝外側サポート部材１２と大腿内側緊締部１３の連結する部位を調整することができ、必要に応じて、膝外側サポート部材１２と大腿内側緊締部１３によるテンションの程度を調整することができる。第１アンカー１５と、大腿内側緊締部１３は、面ファスナー１８ａ、１８ｂを介して脱着可能に結合している。大腿内側緊締部１３において、面ファスナー１８ｂに替えて、起毛生地を用い、起毛面で面ファスナー１８ａと結合することができる。膝外側サポート部材１２、大腿内側緊締部１３及び下腿外側緊締部１４は、いずれも、衣服本体を構成する伸縮性素材より身長方向の伸張率が低い伸縮性素材で構成され、第１アンカー１５は、衣服本体を構成する伸縮性素材より身幅方向の伸張率が低い伸縮性素材で構成されることが好ましい。大腿内側緊締部１３及び下腿外側緊締部１４は、その周縁部が衣服本体１１に縫い付けられていてもよく、適切な接着剤にて衣服本体１１に接合させてもよい。第１アンカー１５は、身体の背面において、中心線の位置にて衣服本体１１に縫い付けられている。
【００３７】
図４Ａは本発明の他の一実施形態（実施形態Ａ３）の衣服（Ｏ脚矯正衣服）の着用状態の正面図であり、図４Ｂは同背面図であり、図４Ｃは同外側面図である。図４Ａ〜４Ｃに示されているように、実施形態Ａ３の衣服３０は、衣服本体３１、膝外側サポート部材３２、大腿内側緊締部３３、下腿外側緊締部３４、第１アンカー３５及び第２アンカー３６を有する。膝外側サポート部材３２は、帯状であり、大腿前面の内側の所定箇所から、下腿上部の外側の所定箇所に至るように、且つ膝の屈曲伸展時に膝蓋骨の中心を通らないように設けられている。大腿内側緊締部３３は、大腿前面の中心-内側及び下腹部の中心-内側の所定箇所に、すなわち大腿前面の中心-内側の所定箇所から下腹部の中心-内側の所定箇所に至るように配置されている。膝外側サポート部材３２の上部は、大腿前面の内側において、大腿内側緊締部３３と、縫着によって連結されている。下腿外側緊締部３４は、下腿外側に配置されている。膝外側サポート部材３２の下部は、下腿上部の外側において、下腿外側緊締部３４と、縫着によって連結されている。第１アンカー３５は、腰部に配置されており、大腿内側緊締部３３と、面ファスナー３８ａ、３８ｂを介して脱着可能に連結されている。第２アンカー３６は、スターラップで構成されており、下腿外側緊締部３４と連結されている。大腿内側緊締部３３は、衣服の中心線に向かって凹んでいる。大腿内側緊締部３３がこのような形状を有することで、必要なテンションを付与しつつ、着用感も良好に保つことができる。
【００３８】
大腿内側緊締部３３において、面ファスナー３８ｂに替えて、起毛生地を用い、起毛面で第１アンカーに設けられた面ファスナー３８ａと結合させてもよい。膝外側サポート部材３２、大腿内側緊締部３３及び下腿外側緊締部３４は、いずれも、衣服本体を構成する伸縮性素材より身長方向の伸張率が低い伸縮性素材で構成され、第１アンカー３５は、衣服本体を構成する伸縮性素材より身幅方向の伸張率が低い伸縮性素材で構成されることが好ましい。膝外側サポート部材３２、大腿内側緊締部３３及び下腿外側緊締部３４は、その周縁部が衣服本体３１に縫い付けられていてもよく、適切な接着剤にて衣服本体３１に接合させてもよい。第１アンカー３５は、身体の背面において、中心線の位置にて衣服本体３１に縫い付けられている。
【００３９】
（Ｘ脚矯正用衣服）
次に、Ｘ脚矯正用衣服について説明する。
【００４０】
前記膝内側サポート部材は、衣服本体を構成する伸縮性素材より身長方向の伸張率が低い低伸縮性素材で構成されていることが好ましい。具体的には、膝が動く際に膝が外側に移動しやすく、膝の痛みを軽減させやすい観点から、前記膝内側サポート部材を構成する伸縮性素材の身長方向の伸長率は、１１０％以下であることが好ましく、１００％以下であることがより好ましく、９０％以下であることがさらに好ましく、８０％以下であることがさらにより好ましい。また、着用感を阻害しない観点から、前記膝内側サポート部材を構成する伸縮性素材の身長方向の伸長率は、５％以上であることが好ましく、１０％以上であることがより好ましい。また、特に限定されないが、膝の痛みの軽減効果及び着用感を良好にする観点から、前記膝内側サポート部材を構成する伸縮性素材の身幅方向の伸長率は、５〜１１０％であることが好ましく、１０〜１００％であることがより好ましい。
【００４１】
前記膝内側サポート部材の上部は、大腿前面の中心-外側及び/又は下腹部の中心-外側に配置されている大腿外側緊締部と連結されている。前記膝内側サポート部材の上部は、縫い付けられることで前記大腿外側緊締部に連結されてもよく、面ファスナー又はフックによって前記大腿外側緊締部に連結されていてもよい。前記膝内側サポート部材の下部は、下腿内側に配置されている下腿内側緊締部と連結されている。前記膝内側サポート部材の下部は、縫い付けられることで前記下腿内側緊締部に連結されてもよい。膝内側サポート部材、大腿外側緊締部及び下腿内側緊締部によるテンションを調整しやすい観点から、前記膝内側サポート部材の上部は、面ファスナー又はフックによって前記大腿外側緊締部に連結されており、前記膝内側サポート部材の下部は、縫い付けられることで前記下腿内側緊締部に連結されていることが好ましい。
【００４２】
前記大腿外側緊締部は、膝内側サポート部材の上部及び第１アンカーと連結されていればよい。前記大腿外側緊締部は、大腿前面の中心-外側及び下腹部の中心-外側の一部又は全部に配置されていてもよい。例えば、大腿前面の中心-外側のみに配置されてもよく、下腹部の中心-外側のみに配置されてもよく、大腿前面の中心-外側及び下腹部の中心-外側を跨ぐように配置されてもよい。テンションの伝播を良好にする観点から、前記大腿外側緊締部は、大腿前面の中心-外側及び下腹部の中心-外側に、すなわち大腿前面の中心-外側から下腹部の中心-外側に至るように配置されていることが好ましい。なお、大腿外側緊締部は、その一部が臀部の外側に伸びてもよい。ここで、臀部の外側とは、衣服背面（後面）の周方向（身幅方向）において、中心線から外側端までの距離をＬｚとした場合、外側端から１/３Ｌｚまでの部分をいう。
【００４３】
前記下腿内側緊締部は、下腿上部において、膝内側サポート部材の下部と連結されていればよい。前記下腿内側緊締部は、下腿内側の一部又は全部に配置されていてもよい。例えば、身体前面の下腿内側のみに配置されていてもよく、身体後面の下腿内側のみに配置されていてもよく、身体前面の下腿上部の内側及び身体後面の下腿上部の内側を跨ぐように配置されていてもよい。テンションの伝播を良好にする観点から、身体前面の下腿内側及び身体後面の下腿内側を跨ぐように配置されていることが好ましい。
【００４４】
前記大腿外側緊締部は、衣服本体を構成する伸縮性素材より身長方向の伸張率が低い伸縮性素材で構成されていればよい。膝が動く際に膝が外側に移動しやすく、膝の痛みを軽減しやすい観点から、前記大腿外側緊締部を構成する伸縮性素材の身長方向の伸長率は、１１０％以下であることが好ましく、１００％以下であることがより好ましく、９０％以下であることがさらに好ましく、８０％以下であることがさらにより好ましい。また、着用感を阻害しない観点から、前記大腿外側緊締部を構成する伸縮性素材の身長方向の伸長率は、５％以上であることが好ましく、１０％以上であることがより好ましい。また、特に限定されないが、膝の痛みの軽減効果及び着用感を良好にする観点から、前記大腿外側緊締部を構成する伸縮性素材の身幅方向の伸長率は、５〜１１０％であることが好ましく、１０〜１００％であることがより好ましい。
【００４５】
前記下腿内側緊締部は、衣服本体を構成する伸縮性素材より身長方向の伸張率が低い伸縮性素材で構成されていればよい。膝が動く際に膝が外側に移動しやすく、膝の痛みを軽減しやすい観点から、前記下腿内側緊締部を構成する伸縮性素材の身長方向の伸長率は、１１０％以下であることが好ましく、１００％以下であることがより好ましく、９０％以下であることがさらに好ましく、８０％以下であることがさらにより好ましい。また、着用感を阻害しない観点から、前記下腿内側緊締部を構成する伸縮性素材の身長方向の伸長率は、５％以上であることが好ましく、１０％以上であることがより好ましい。また、特に限定されないが、膝の痛みの軽減効果及び着用感を良好にする観点から、前記下腿内側緊締部を構成する伸縮性素材の身幅方向の伸長率は、５〜１１０％であることが好ましく、１０〜１００％であることがより好ましい。
【００４６】
前記第１アンカーは、前記大腿外側緊締部と連結され、腰部の位置ズレを防止するものであればよく、その構成は特に限定されない。例えば、ひも状であってもよく、ベルト状であってもよい。或いは、腰部の一部又は全部を、例えば腰回り全長の３/４以上を、身幅方向の伸長率が衣服本体の身幅伸長率より低い、例えば身幅方向の伸長率が０〜６０％の伸縮性素材で構成することで、第１アンカーとして機能させてもよい。或いは、腰部の一部又は全部、例えば、腰回り全長の１/２以上の内側にシリコン樹脂等の摩擦係数が高い素材を配置することで、第１アンカーとして機能させてもよい。或いは、腰部を長くし、折り返して着用することで、第１アンカーとして機能させてもよい。或いは、サスペンダーを取り付けることで、第１アンカーとして機能させてもよい。或いは、腰部に係止手段、例えば、面ファスナー、ボタン、クリップ等を取り付けて上衣に係止することで、第１アンカーとして機能させてもよい。
【００４７】
ベルト状の第１アンカーは、腰の周りの少なくとも一部に配置され、全部又は一部が衣服布本体に縫い付けられていてもよい。腰部の位置ズレを防止しつつ及び大腿外側緊締部によるテンションを調整しやすい観点から、ベルト状の第１アンカーは、前記大腿外側緊締部と面ファスナーによって連結されている腰ベルトであることが好ましい。該腰ベルトは、簡便であることから、身体の背面において、中心線の位置にて衣服本体に縫い付けられていることが好ましい。
【００４８】
前記ベルト状の第１アンカーは、衣服本体を構成する伸縮性素材より身幅方向の伸張率が低い伸縮性素材で構成されていることが好ましい。大腿外側緊締部によるテンションを維持しやすい観点から、前記第１アンカーを構成する伸縮性素材の身幅方向の伸長率は、１１０％以下であることが好ましく、１００％以下であることがより好ましく、９０％以下であることがさらに好ましく、８０％以下であることがさらにより好ましい。また、着用感を阻害しない観点から、前記第１アンカーを構成する伸縮性素材の身幅方向の伸長率は、５％以上であることが好ましく、１０％以上であることがより好ましい。また、特に限定されないが、大腿外側緊締部によるテンションの維持しやすさ及び着用感を良好にする観点から、前記第１アンカーを構成する伸縮性素材の身長方向の伸長率は、５〜１１０％であることが好ましく、１０〜１００％であることがより好ましい。
【００４９】
前記下腿内側緊締部は、裾部の位置ズレを防止する第２アンカーと連結されていてもよい。前記第２アンカーは、前記下腿内側緊締部と連結され、裾部の位置ズレを防止するものであればよく、その構成は特に限定されない。例えば、裾部の内側の一部又は全部、例えば、裾周りの全長の１/２以上にシリコン樹脂等の摩擦係数が高い素材を配置することで、第２アンカーとして機能させてもよい。或いは、裾部の一部又は全部を、例えば裾回り全長の３/４以上を、身幅方向の伸長率が衣服本体の身幅伸長率より低い、例えば身幅方向の伸長率が０〜６０％の伸縮性素材で構成して裾緊締部にすることで、第２アンカーとして機能させてもよい。或いは、裾部を長くし、折り返して着用することで、第２アンカーとして機能させてもよい。或いは、裾部に係止手段、例えば、面ファスナー、ボタン、クリップ等取り付けて靴下に係止することで、第２アンカーとして機能させてもよい。簡便であることから、第２アンカーは、スターラップであることが好ましい。この場合、衣服はトレンカとなる。スターラップは、例えば、衣服本体と同じ伸縮性素材で構成することができる。
【００５０】
前記衣服本体を構成する伸縮性素材は、特に限定されないが、着用性の観点から、身長方向の伸長率が２０〜１５０％であることが好ましく、５０〜９０％であることがより好ましい。また、着用性の観点から、身幅方向の伸長率が３０〜１６０％であることが好ましく、６０〜１００％であることがより好ましい。
【００５１】
以下、図面に基づいて、Ｘ脚矯正衣服を説明する。但し、本発明は、下記図面に示されたものに限定されない。
【００５２】
図６Ａは本発明の一実施形態（実施形態Ｂ１）の衣服（Ｘ脚矯正衣服）の正面図であり、図１Ｂは同背面図であり、図１Ｃは同右外側面図である。図６Ａ〜１Ｃに示されているように、実施形態Ｂ１の衣服１００は、衣服本体１０１、膝内側サポート部材１０２、大腿外側緊締部１０３、下腿内側緊締部１０４、第１アンカー１０５及び第２アンカー１０６を有する。膝内側サポート部材１０２は、帯状であり、大腿前面の中心-外側側の所定箇所から、下腿上部の内側の所定箇所に至るように、且つ膝の屈曲伸展時に膝蓋骨の中心を通らないように設けられている。大腿外側緊締部１０３は、大腿前面の中心-外側及び下腹部の中心-外側の所定箇所に、すなわち大腿前面の中心-外側の所定箇所から下腹部の中心-外側の所定箇所に至るように配置されている。なお、実施形態Ｂ１の衣服１００において、大腿外側緊締部１０３は、その一部が臀部の外側に伸びている。膝内側サポート部材１０２の上部は、大腿前面の外側において、大腿外側緊締部１０３と脱着可能に連結されている。下腿内側緊締部４は、下腿内側の所定箇所に配置されている。膝内側サポート部材１０２の下部は、下腿上部の内側において、下腿内側緊締部１０４と、例えば、縫着によって連結されている。第１アンカー１０５は、腰部に配置されており、大腿外側緊締部１０３と脱着可能に連結されている。第２アンカー１０６は、スターラップで構成されており、下腿内側緊締部１０４と、例えば、縫着によって連結されている。
【００５３】
膝内側サポート部材１０２は、膝内側サポート部材１０２に設けられた面ファスナー１０７を介して大腿外側緊締部１０３と脱着可能に結合している。これにより、膝内側サポート部材１０２と大腿外側緊締部１０３の連結する部位を調整することができ、必要に応じて、膝内側サポート部材１０２と大腿外側緊締部１０３によるテンションの程度を調整することができる。第１アンカー１０５は、第１アンカー１０５に設けられた面ファスナー１０８を介して、大腿外側緊締部１０３と脱着可能に結合している。大腿外側緊締部１０３は、面ファスナーと結合可能な素材、例えば、起毛生地を用いて構成され、起毛面で面ファスナーと結合することができる。また、大腿外側緊締部１０３は全面を起毛生地で構成してもよく、必要な箇所のみを起毛生地で構成してもよい。膝内側サポート部材１０２、大腿外側緊締部１０３及び下腿内側緊締部１０４は、いずれも、衣服本体を構成する伸縮性素材より身長方向の伸張率が低い伸縮性素材で構成され、第１アンカー１０５は、衣服本体を構成する伸縮性素材より身幅方向の伸張率が低い伸縮性素材で構成されることが好ましい。大腿外側緊締部１０３及び下腿内側緊締部１０４は、その周縁部が衣服本体１０１に縫い付けられていてもよく、適切な接着剤にて衣服本体１０１に接合させてもよい。第１アンカー１０５は、身体の背面において、中心線の位置にて衣服本体１０１に縫い付けられている。
【実施例】
【００５４】
以下実施例を用いてさらに具体的に説明する。なお、本発明は下記の実施例に限定されるものではない。
【００５５】
（実施例１）
衣服本体及び第２アンカーは、編物（経編；身長方向伸長率６７％、身幅方向伸長率８６％；ポリエステル繊維９１質量％、ポリウレタン繊維９質量％；目付１８０ｇ/ｍ2）で構成した。大腿内側緊締部、下腿外側緊締部及び膝外側サポート部材及び第１アンカーは、前記衣服本体及び第２アンカーを構成する生地に編物（経編；身長方向伸長率６４％、身幅方向伸長率１１３％；ナイロン繊維８２質量％、ポリウレタン繊維１８質量％；目付１６５ｇ/ｍ2）を縫い合わせて構成し、図１〜図２に示すトレンカを作製した。
【００５６】
実施例１のトレンカを着用させ、膝屈伸（屈曲伸展）中の膝中心の動きを観察した。具体的には、膝の正面（膝蓋骨）にマーカーを貼付し、図８に示すようにその場足ふみを１０回程度行い、そのマーカーの軌跡を膝の裏からみた座標系で表現し、その結果を図９及び図１０に示した。図９及び図１０において、「Tights」は、実施例１のトレンカを着用し、図８Ａに示されているように、膝外側サポート部材を大腿内側緊締部に連結した状態での結果であり、「Control」は、図８Ｂに示されているように、膝外側サポート部材を大腿内側緊締部に連結していない状態での結果である。また、図９及び図１０の横軸において、「-」は、内側を意味し、「+」は外側を意味する。
【００５７】
図９及び図１０から分かるように、実施例１のトレンカを着用することで、膝屈伸（屈曲伸展）時に、膝が内側に移動しており、Ｏ脚を矯正し得る。
【００５８】
実施例１のトレンカをＯ脚傾向があり、膝の痛みを感じている３０代〜６０代（平均年齢５８．４歳）の女性２８名に着用させ、膝の痛み具合を、下記の基準で官能評価した。
【００５９】
（膝の痛み・不安感）
下記表1に示す各動作時の膝の痛みを、普段着を着用した場合と比較し、膝の痛みが変わらない場合を４とし、膝の痛みが非常に和らいだ場合を７とし、膝が非常に痛いと感じる場合を１とし、７段階の基準で評価し、平均した値を下記表１に示した。下記表１において、５分程度歩いた時は、日常の歩行動作に相当し、１０分程度歩いた時は、ウォーキング等の軽運動に相当する。
【００６０】
【表１】
2019081986.tif 000003
【００６１】
上記表１の結果から分かるように、実施例の衣服を着用すると、様々な動作時の膝の痛みは改善する傾向があった。
【００６２】
（実施例２）
衣服本体及び第２アンカーには、編物（経編；身長方向伸長率６７％、身幅方向伸長率８６％；ポリエステル繊維９１質量％、ポリウレタン繊維９質量％；目付１８０ｇ/ｍ2）を用い、大腿外側緊締部、下腿内側緊締部及び膝内側サポート部材には、前記衣服本体及び第２アンカーを構成する生地と、編物（経編；身長方向伸長率６４％、身幅方向伸長率１１３％；ナイロン繊維８２質量％、ポリウレタン繊維１８質量％；目付１６５ｇ/ｍ2）を縫い合わせた身長方向伸長率４４％、身幅方向伸長率５０％の二重生地を用い、衣服本体、大腿外側緊締部、下腿内側緊締部、膝内側サポート部材、第１アンカー、第２アンカー（スターラップ）を形成し、図６に示すトレンカを作製した。
【００６３】
実施例２のトレンカを着用させ、膝屈伸（屈曲伸展）中の膝中心の動きを観察した。具体的には、膝の正面（膝蓋骨）にマーカーを貼付し、そのマーカーの軌跡を膝の裏からみた座標系で表現し、その結果を図１１に示した。図１１において、「Tights」は、実施例２のトレンカを着用し、膝内側サポート部材を大腿外側緊締部に連結した状態での結果であり、「Control」は、膝内側サポート部材を大腿外側緊締部に連結していない状態での結果である。また、図１１の横軸において、「-」は、内側を意味し、「+」は外側を意味する。
【００６４】
図１１から分かるように、実施例２のトレンカを着用することで、膝屈伸（屈曲伸展）時に、膝が外側に移動しており、Ｘ脚を矯正し得る。
【００６５】
図１２は、Ｏ脚ＯＡ患者、健常者及びＸ脚ＯＡ患者の立脚相中の膝関節角度を示すグラフである。これは、Robert J et al., Frontal-Plane Gait Mechanics in People With Medial Knee Osteoarthritis Are Different From Those in People With Lateral Knee Osteoarthritis, Physical Therapy, Volumn 91, Number 8, August 2011,1235-1243から抜粋したものである。図１２から分かるように、立脚相中において、Ｏ脚ＯＡ患者の膝関節角度は、健常者と比べて内転しており、Ｘ脚ＯＡ患者の膝関節角度は、健常者と比べて外転している。上述したように、実施例１のＯ脚矯正トレンカを着用して膝屈伸（屈曲伸展）を行った場合、膝が内側に移動しており、これは、実施例１のＯ脚矯正トレンカを着用すると、図１２の場合、Ｏ脚ＯＡ患者の膝関節角度は、健常者に近くづいていくことを意味する。そして、実施例１のＯ脚矯正トレンカを着用すると、Ｏ脚傾向があり、膝の痛みを感じている対象者において様々な動作時の膝の痛みは改善する傾向があった。上述したとおり、実施例２のＯ脚矯正トレンカを着用して膝屈伸（屈曲伸展）を行った場合、膝が外側に移動しており、これは、実施例２のＸ脚矯正トレンカを着用すると、図１２の場合、Ｘ脚ＯＡ患者の膝関節角度は、健常者に近くづいていくことを意味する。そうすると、実施例１のＯ脚矯正トレンカを着用すると、Ｏ脚傾向があり、膝の痛みを感じている対象者において様々な動作時の膝の痛みは改善する傾向があるのと同様、実施例２のＸ脚矯正トレンカを着用すると、Ｘ脚傾向があり、膝の痛みを感じている対象者において様々な動作時の膝の痛みは改善し得ると推定される。
【符号の説明】
【００６６】
１、１１、３１、１０１  衣服本体
２、１２、３２  膝外側サポート部材
３、１３、３３  大腿内側緊締部
４、１４、３４  下腿外側緊締部
５、１５、３５、１０５  第１アンカー
６、１６、３６、１０６  第２アンカー
７、８、１８ａ、１８ｂ、３８ａ、３８ｂ、１０７、１０８  面ファスナー
１０、２０、３０、１００  衣服
１７ａ、１７ｂ  フック
４０  膝
５０  下腹部の中心-内側
６０  大腿前面の中心-内側
７０  下腿上部の外側
８０  衣服の中心線
９１  外側端
９２  内側端
１０２  膝内側サポート部材
１０３  大腿外側緊締部
１０４  下腿内側緊締部
１５０  下腹部の中心-外側
１６０  大腿前面の中心-外側
１７０  下腿上部の内側
【図１】
2019081986.tif 000004
【図２】
2019081986.tif 000005
【図３】
2019081986.tif 000006
【図４】
2019081986.tif 000007
【図５】
2019081986.tif 000008
【図６】
2019081986.tif 000009
【図７】
2019081986.tif 000010
【図８】
2019081986.tif 000011
【図９】
2019081986.tif 000012
【図１０】
2019081986.tif 000013
【図１１】
2019081986.tif 000014
【図１２】
2019081986.tif 000015